(57)【要約】【課題】原稿ガイドを原稿の縁に手動で合わせる手間を省いた自動給紙型の画像読取装置を提供する。【解決手段】ブックプラテンカバー２０の原稿供給トレイ２１上には、原稿Ｐに接して原稿Ｐの幅方向の位置を規制する一対の原稿ガイド２３がスライド可能に設けられている。原稿ガイド２３には、この原稿ガイド２３と原稿供給トレイ２１にセットされた原稿との接触を検出する接触センサＳＲが設けられている。ユーザが原稿を原稿供給トレイ２１にセットすると、モータ２７が作動して、原稿ガイド２３が原稿に接触するまで自動的に移動する。また、原稿供給トレイ２１にセットされた原稿のサイズが検出され、検出された原稿サイズに応じて、原稿ガイド２３の移動速度パターンが制御される。【選択図】　　　図２
2004026474.tif 000002
【特許請求の範囲】
【請求項１】
原稿給紙部にセットされた原稿を１枚ずつ読み取り部まで搬送する自動給紙型の画像読取装置であって、
前記原稿給紙部に給紙方向と直交する方向に移動可能に設けられた原稿ガイドと、この原稿ガイドを前記直交方向に移動させる駆動手段と、原稿ガイドと原稿給紙部にセットされた原稿との接触を検出する検出手段と、この検出手段による検出結果に基づいて原稿ガイドの移動を制御する制御部とを備えたことを特徴とする自動給紙型の画像読取装置。
【請求項２】
前記原稿給紙部にセットされた原稿のサイズを検出する原稿サイズ検出手段を備え、前記制御部は、原稿サイズ検出手段により検出された原稿サイズに基づいて原稿ガイドの移動速度パターンを制御することを特徴とする請求項１記載の自動給紙型の画像読取装置。
【請求項３】
前記制御部は、原稿サイズ検出手段により検出された原稿サイズに対応する位置に近づくまでは原稿ガイドを高速で移動させ、近づいた後は原稿ガイドを低速で移動させることを特徴とする請求項２記載の自動給紙型の画像読取装置。
【発明の詳細な説明】
【０００１】
【発明の属する技術分野】
この発明は、ファクシミリ装置やコピー装置等に組み込まれ、原稿を自動で給紙して読み取り部まで搬送する原稿自動給紙型の画像読取装置に関する。
【０００２】
【従来の技術】
原稿自動給紙型の画像読取装置では、原稿給紙部にセットされた原稿が読み取り部まで給紙される際に、原稿が斜行して搬送されること等を防止するために、セットされた原稿の幅方向（給紙方向と直交方向）の両縁を規制する一対の原稿ガイドが原稿の幅方向に移動可能に備えられている。この一対の原稿ガイドは、一方を動かせば他方も同じ距離だけ互いに反対方向に移動するようになっている。
【０００３】
【発明が解決しようとする課題】
しかしながら、従来では、原稿ガイドはユーザが手動で原稿サイズに合わせる構成であるため、原稿のセットに伴う一連の作業が煩わしいという問題がある。すなわち、例えばＡ４サイズの原稿を読み取る場合、原稿をセットする前に原稿ガイドの間隔がＡ４サイズの幅よりも小さいときは、原稿ガイドの間隔をＡ４サイズの幅よりも幾分大きめに開いてから原稿をセットし、更に原稿ガイドを原稿の両縁に接触させている。また、原稿をセットする前に原稿ガイドの間隔がＡ４サイズの幅よりも相当大きいときは、原稿ガイドの間隔をＡ４サイズよりも幾分大きめに狭めてから原稿をセットし、原稿ガイドを原稿の両縁に接触させている。
【０００４】
この発明は、そのような問題点に着目してなされたものであって、原稿ガイドを原稿の縁に手動で合わせる手間を省いた自動給紙型の画像読取装置を提供することを目的としている。
【０００５】
【課題を解決するための手段】
前記目的を達成するために、この発明の自動給紙型の画像読取装置は、原稿給紙部にセットされた原稿を１枚ずつ読み取り部まで搬送するものであって、前記原稿給紙部に給紙方向と直交する方向に移動可能に設けられた原稿ガイドと、この原稿ガイドを前記直交方向に移動させる駆動手段と、原稿ガイドと原稿給紙部にセットされた原稿との接触を検出する検出手段と、この検出手段による検出結果に基づいて原稿ガイドの移動を制御する制御部とを備えたことを特徴とする。
【０００６】
この画像読取装置では、ユーザが原稿給紙部に原稿をセットすれば、原稿ガイドが原稿に接触する位置まで自動的に移動するので、原稿ガイドを原稿に接触するまで手動で移動させる必要がなく、原稿ガイドの位置合せの手間を省略できる。
【０００７】
この画像読取装置の構成において、原稿給紙部にセットされた原稿のサイズを検出する原稿サイズ検出手段を設け、前記制御部が原稿サイズ検出手段により検出された原稿サイズに基づいて原稿ガイドの移動速度パターンを制御することとすれば、既存の原稿サイズを利用して効率的な速度パターンで原稿ガイドを移動させることができる。
【０００８】
この速度パターンに関して、具体的に制御部は、原稿サイズ検出手段により検出された原稿サイズに対応する位置に近づくまでは原稿ガイドを高速で移動させ、近づいた後は原稿ガイドを低速で移動させる。これにより、原稿ガイドの移動を短時間で行える。
【０００９】
なお、本発明において、検出手段は、原稿ガイドと原稿給紙部にセットされた原稿との接触を検出できるものであれば限定されず、例えば原稿ガイドの内側面に圧電素子等の接触センサを設け、その接触センサに原稿が接触することにより出力される検出信号により接触を検出することができる。或いは、原稿ガイドが原稿に接触したときの駆動手段の負荷電流の増加により接触を検出してもよい。
【００１０】
【発明の実施の形態】
以下、実施の形態により、この発明を更に詳細に説明する。
【００１１】
図１は、自動給紙型の画像読取装置を組み込んだファクシミリ装置１を示す。このファクシミリ装置１の上部には原稿を後述する二種類の方式（ＡＤＦ方式及びＦＢＳ方式）で読み取るための読み取り部１０が、手前側には液晶パネル等の表示部１５及び数字キー、文字キー、種々のファンクションキー等を備えた操作部１６がそれぞれ備えられている。
【００１２】
なお、読み取り部１０は主要には、ファクシミリ装置１の本体の右寄りの位置に配置されたブックプラテンカバー２０と、左寄りの位置に配置された原稿ガイド機構３０とで構成される。ブックプラテンカバー２０は、ファクシミリ装置１の本体の奥寄りの位置を支点としてヒンジ状に取付けられており、ファクシミリ装置１の本体に対して手前の部分が開口するように開閉可能に設けられている。このブックプラテンカバー２０は、ＡＤＦ方式による読み取り前の原稿が載置される原稿供給トレイ２１をその上部に、読み取り後の原稿が排出される原稿排出トレイ２２を原稿供給トレイ２１の下側にそれぞれ備えている。
【００１３】
また、原稿供給トレイ２１には、一対の原稿ガイド２３が当該トレイ２１にセットされた原稿の給紙方向と直交する方向にスライド可能に備えられている。この一対の原稿ガイド２３は原稿供給トレイ２１上でその中心線から常に等距離に位置するように連動する構成となっており、互いに同距離だけ反対方向に移動する。
【００１４】
ガイド機構３０は、詳細は後述するが、原稿ガイド２３により原稿供給トレイ２１の中央にセットされたシート状の原稿を１枚ずつ分離しつつ取り込み、後述するように原稿排出トレイ２２へ排出する。これらの原稿供給トレイ２１、ガイド機構３０及び原稿排出トレイ２２によりＡＤＦ（自動原稿供給装置）が構成される。
【００１５】
ブックプラテンカバー２０の拡大斜視図を図２に、その一部省略拡大平面図を図３に示す。但し、図１に示すものとは形状が幾分異なる。前記したように、ブックプラテンカバー２０の上部は、搬送される原稿Ｐが堆積収納される原稿供給トレイ２１になっており、この原稿供給トレイ２１上には、当該トレイ２１に載置される原稿Ｐの幅方向、すなわち給紙方向（矢印方向）と直交する方向の両側に、それぞれ原稿Ｐに接して原稿Ｐの幅方向の位置を規制する一対の原稿ガイド２３が設けられている。原稿ガイド２３は、トレイ２１上に、給紙方向と直交する方向へスライド自在に支持されている。
【００１６】
原稿ガイド２３には、それぞれラック部材２４が一体的に取付けられており、当該ラック部材２４は原稿供給トレイ２１の下方に配置されている。また、原稿供給トレイ２１には、各原稿ガイド２３に対応して、左右方向（給紙方向と直交する方向）に長孔２５が形成されている。そして、この長孔２５を通じて、トレイ２１上に配置される原稿ガイド２３と、トレイ２１の下方に配置されるラック部材２４とが連結部材２６により連結されている。
【００１７】
長孔２５は互いに平行に配置され、ラック部材２４は、それぞれの歯部が対向するように互いに平行に配置されている。原稿供給トレイ２１の下方における、一対の原稿ガイド２３の左右略中央部には、駆動手段としてのモータ（ステッピングモータ）２７の回転軸に取付けられたピニオンギア２８が回転可能に枢支されている。このピニオンギア２８は、両ラック部材２４間に配置され、両ラック部材２４と歯合している。すなわち、一対のラック部材２４は、互いに対向する位置でピニオンギア２８とそれぞれ歯合している。従って、モータ２７の作動によりピニオンギア２８が回転すれば、ラック部材２４が互いに反対方向に動き、ピニオンギア２８の回転方向に応じて一対の原稿ガイド２３が長孔２５に沿って互いに接近したり離れたりする。
【００１８】
図４は、読み取り部１０の要部構成を示すためにファクシミリ装置１の本体の正面から見た模式的縦断面図である。この読み取り部１０は、読み取りが可能な原稿の幅以上の幅（図４では奥行き方向）を有する透光板３１，３２を備えている。透光板３１はＦＢＳ方式による静止原稿の読み取り用であり、その読み取りが可能な最大サイズの原稿より若干大きい長さ（図４では左右方向）を有している。また、透光板３２はＡＤＦ方式による移動原稿の読み取り用であり、上記透光板３１の左端近くに設けられており、数十ｍｍ程度の長さを有している。
【００１９】
透光板３１，３２の下方には、原稿へ照射されるべき光の光源と、原稿面から直交方向の反射光の光路を原稿面と平行方向に変更するミラーとで構成される光源装置３３と、光源装置３３のミラーからの反射光の光路を変更して集光レンズ３４へ入射させる複数の反射ミラー３５と、集光レンズ３４が集光した反射ミラーからの反射光により原稿上の画素情報を光学的に読み取る撮像装置３６とが備えられている。なお、光源装置３３、反射ミラー３５、集光レンズ３４及び撮像装置３６は、それぞれ透光板３１，３２の幅よりやや大きい幅（図４では奥行き方向の長さ）を有している。
【００２０】
光源装置３３及び反射ミラー３５で構成される光学系は、図示されていない光学系駆動制御部によりその幾つかの定位置での停止制御及びそれらの間の移動が制御される。但し、この場合、反射ミラー３５の移動量は光源装置３３の移動量の１／２に制御される。光源装置３３の定位置としては、例えば移動原稿用の透光板３２の直下の位置であるＡＤＦ方式の読み取り位置Ａと、ＦＢＳ方式用の透光板３１のガイド機構３０から遠い側の端部（透光板３１の上辺直下）のＦＢＳ方式の開始位置Ｂと、ＦＢＳ方式用の透光板３１のガイド機構３０に近い側の端部（透光板３１の下辺直下）付近のＦＢＳ方式の終了位置Ｃと、原稿の読み取りを行わない状態において待機するためのホームポジションＨ等である。なお、ホームポジションＨは、ＦＢＳ方式の開始位置Ｂよりやや位置Ａ側、すなわちガイド機構３０側に寄った位置に定められている。
【００２１】
従って、参照符号３３（Ａ）にて示されているように光源装置３３が位置Ａにある場合には、反射ミラー３５は参照符号３５（Ａ）で示されているように光源装置３３に極近い位置にあり、参照符号３３（Ｂ）で示されているように光源装置３３が位置Ｂにある場合には、反射ミラー３５は参照符号３５（Ｂ）で示されているように位置Ａと位置Ｂとのほぼ中央の位置にあり、参照符号３３（Ｈ）で示されているように光源装置３３が位置Ｈにある場合には、反射ミラー３５は参照符号３５（Ｈ）で示されているように、参照符号３５（Ｂ）で示されている位置より若干位置Ａ側に移動した位置にある。そして、ＦＢＳ方式の読み取りを行う場合には、光源装置３３はＦＢＳ方式用の透光板３１の右端部付近の開始位置Ｂと左端部付近の終了位置Ｃとの間を往復移動する。
【００２２】
ＦＢＳ方式用の透光板３１の上方には、透光板３１を覆うように、ブックプラテンカバー２０が開閉可能に設けられている。前記したように、ブックプラテンカバー２０は、その上部に、ＡＤＦ方式による読み取り前のシート状の原稿をセットしておく原稿供給トレイ２１と、原稿供給トレイ２１の下方に、ＡＤＦ方式による読み取り後の原稿が排出される原稿排出トレイ２２とをそれぞれ備えている。また、原稿供給トレイ２１の原稿出口（図４で左端部）と原稿排出トレイ２２の原稿入口（図４で左端部）とは上下に並列に配置されており、それらと近接し且つＡＤＦ方式の透光板３２上の位置にはガイド機構３０が備えられている。
【００２３】
図２において、一対の原稿ガイド２３の内側面には、原稿ガイド２３と原稿供給トレイ２１にセットされた原稿との接触を検出する検出手段として、それぞれ接触センサＳＲが設けられている。この接触センサＳＲは、例えば圧電素子で構成され、原稿供給トレイ２１にセットされた原稿の縁に接触すると、その圧力を検知し、原稿ガイド２３が原稿に接触した検出信号を出力する。なお、接触センサＳＲは、一対の原稿ガイド２３の両方に設ける必要はなく、一方のみでもよい。この接触センサＳＲによる検出結果は後述するＣＰＵ５１に送られる。
【００２４】
以下の動作でも説明するように、原稿ガイド２３は原稿に接触するまでは、モータ２７の作動により内方向に移動し、接触センサＳＲが原稿ガイド２３と原稿との接触を検出すると、停止するようになっている。
【００２５】
一方、図３において、原稿供給トレイ２１の原稿出口近辺には、原稿サイズ検出手段として４個のセンサＳ１、センサＳＡ４、センサＳＢ４、センサＳＡ３がそれぞれ図示のような位置に並列に配置されている。これらのセンサのうち、センサＳ１は、原稿供給トレイ２１に原稿をセットしたときに原稿で隠れる位置に配置され、原稿供給トレイ２１に原稿がセットされたか否かを検出するためのセンサである。センサＳＡ４，ＳＢ４，ＳＡ３は、原稿供給トレイ２１にセットされたそれぞれＡ４，Ｂ４，Ａ３サイズの原稿で隠れる位置に配置され、原稿供給トレイ２１にセットされたそれぞれＡ４，Ｂ４，Ａ３サイズの原稿のサイズ（幅）を検出するためのセンサである。
【００２６】
以下の動作でも詳説するように、ユーザが原稿供給トレイ２１上に原稿を載置すると、原稿がＡ４サイズである場合にはセンサＳ１とセンサＳＡ４が原稿の存在を検出し、原稿がＢ４サイズである場合にはセンサＳ１とセンサＳＡ４，ＳＢ４が原稿の存在を検出し、原稿がＡ３サイズである場合にはセンサＳ１とセンサＳＡ４，ＳＢ４，ＳＡ３の全てが原稿の存在を検出する。また、原稿がＡ４サイズよりも小さいサイズ（例えばＢ５）である場合は、センサＳ１のみが原稿の存在を検出する。これらのセンサＳ１，ＳＡ４，ＳＢ４，ＳＡ３による原稿の検出結果は後述するＣＰＵ５１に送られる。
【００２７】
ガイド機構３０内には、原稿供給トレイ２１の原稿出口に近接した位置に、原稿を１枚ずつ分離するための分離ローラ４１が設けられている。また、ＡＤＦ方式の透光板３２上にはこれと密着する状態で比較的大径の移送ローラ４２が配置されており、この移送ローラ４２を取り巻くように、複数の従動ローラ４３が配置されている。そして、分離ローラ４１から複数の従動ローラ４３を経て透光板３２へ、更に透光板３２から原稿排出トレイ２２の方向へ案内板が設けられており、また分離ローラ４１から移送ローラ４２を経て原稿排出トレイ２２の方向へも案内板が設けられており、矢印付きの二点鎖線で示されているように、原稿供給トレイ２１の原稿出口から分離ローラ４１及び移送ローラ４２の周囲を経て原稿排出トレイ２２の原稿入口側に近接する位置まで、原稿の移送経路が形成されている。
【００２８】
従って、ＡＤＦ方式による場合は、原稿はシート状の原稿の端部が分離ローラ４１に押付けられ、且つ原稿ガイド２３で原稿供給トレイ２１上の中央に位置決めされた状態でセットされる。そして、原稿供給トレイ２１にセットされた原稿の最上部の１枚が分離ローラ４１によって分離されて移送力を付与され、更に移送ローラ４２及び複数の従動ローラ４３により原稿排出トレイ２２の原稿入口へ向けて移送される。そして、その間に、原稿はその表面（読み取られるべき画像が形成されている面）が透光板３２に押付けられつつ一定速度で移送されることにより、光源装置３３から光が照射されて光学的な原稿読み取りが行われる。
【００２９】
なお、参照符号Ｓ２は原稿供給トレイ２１に原稿がセットされているか否か（原稿の有無）を検出するためのセンサである。このセンサＳ２は、原稿供給トレイ２１にセットされた原稿の先端が分離ローラ４１に押付けられるため、分離ローラ４１の原稿供給トレイ２１側の位置に配置されている。このセンサＳ２による原稿の検出結果は後述するＣＰＵ５１に送られる。
【００３０】
また、参照符号Ｓ３はＡＤＦ方式によりガイド機構３０内に供給された原稿のサイズ（幅）を検出するためのセンサであり、分離ローラ４１から透光板３２までの原稿移送経路中の適宜の部分の、例えばＡ３，Ｂ４，Ａ４サイズにそれぞれ対応した位置に配置されている。
【００３１】
図５は、この実施形態に係るファクシミリ装置の機能構成例を示すブロック図である。なお、本発明の自動給紙型の画像読取装置は、ファクシミリ装置としてのみならず、ファクシミリ通信機能を有する複合機等、種々の装置に組み込むことが可能である。
【００３２】
制御部として機能するＣＰＵ５１は、バス５０を介して例えばＬＣＤ（液晶表示デバイス）を利用した表示部１５（図１参照）と、数字キー、文字キー及び種々のファンクションキー等で構成される操作部１６（図１参照）と、このファクシミリ装置の動作手順のプログラム等が格納されているＲＯＭ５２と、種々のデータを一時記憶する記憶手段として機能するＲＡＭ５３と、２値画像信号の符号化・復号化を行うコーデック（ＣＯＤＥＣ）５４等のデジタル信号処理を司る部分と接続されている。
【００３３】
また、ＣＰＵ５１はバス５０を介して、ＣＣＤ（電荷結合素子）を撮像素子として使用した撮像装置３６を有する原稿の読み取り部１０と、撮像装置３６により読み取られたアナログ信号を２値化してデジタル画像信号に変換する画像処理回路５５と、デジタル画像信号を用紙に印字するプリンタ５６等の画像の読み取り及び印字を行う部分と接続されている。更に、ＣＰＵ５１はバス５０を介して、一対の原稿ガイド２３を移動させる駆動手段としてのモータ２７の回転方向や回転量等を制御するモータドライバ５７に接続されている。そして、ＣＰＵ５１はバス５０を介して、この装置を通信回線網６０に接続する網制御装置（ＮＣＵ）５８及びモデム５９等の通信機能を司る部分とも接続されている。
【００３４】
なお、前記接触センサＳＲ，センサＳ１，ＳＡ４，ＳＢ４，ＳＡ３，Ｓ２，Ｓ３は、いずれも図５のブロック図においては読み取り部１０に接続されており、これらの接触センサＳＲ，センサＳ１，ＳＡ４，ＳＢ４，ＳＡ３，Ｓ２，Ｓ３からの検出信号はバス５０を介してＣＰＵ５１に送られる。
【００３５】
次に、このファクシミリ装置１における原稿ガイド２３の移動動作について図６のフロー図を参照して説明する。但し、原稿供給トレイ２１に原稿をセットする前（待機状態）には、原稿ガイド２３は最大幅（Ａ３よりも幾分大きい幅）の位置に戻されている。
【００３６】
まず、ステップＳＴ１において、原稿供給トレイ２１に原稿がセットされたか否か、すなわちセンサＳ１及び／又はセンサＳ２が原稿を検出したかどうかを判定し、この判定がＮＯの場合は、原稿がセットされるまで待機する。原稿がセットされると、ステップＳＴ２において、モータ２７を駆動して原稿ガイド２３を内方向に移動させる。　次いで、ステップＳＴ３において、原稿ガイド２３と原稿とが接触したかを判定する。すなわち、前記したように、原稿ガイド２３の接触センサＳＲが原稿を検出した信号を出力したかどうかを判定する。原稿ガイド２３が原稿に接触しないときは、ステップＳＴ２に戻り、原稿ガイド２３が原稿に接触するまで原稿ガイド２３を移動させる。
【００３７】
原稿ガイド２３が原稿に接触すると、ステップＳＴ４において、原稿ガイド２３を停止させた後、ステップＳＴ５において、原稿を１枚ずつ自動で給紙し、読み取り部１０で原稿の画像を読み取り、その画像データを取り込む。そして、ステップＳＴ６において、全ての原稿の自動給紙及び画像読み取りが終了したか判定し、原稿がまだ残っているときは、ステップＳＴ５に戻り、原稿の画像データの取り込みを続ける。全ての原稿の画像読み取りが終了すると、ステップＳＴ７において、モータ２７を駆動して、原稿ガイド２３を最大幅の位置まで移動させ、再び待機状態とし、当該処理を終了する。
【００３８】
上記原稿ガイド２３の移動動作は、基本的なものであるが、より詳細な動作例について図７及び図８のフロー図を参照して説明する。このフロー図では、原稿サイズに応じて原稿ガイド２３の移動速度パターンを制御しているが、速度パターンは例えば図９に示すようなものである。
【００３９】
原稿サイズがＢ４よりも大きくＡ３以下であるときは、原稿ガイド２３を最初から低速Ｓ１〔図９の（ａ）に示す第１の速度パターン〕で移動させる。これは、Ａ３等の大きいサイズの原稿に対しては、待機状態ではＡ３よりも幾分大きい幅の位置にある原稿ガイド２３を原稿に接触させるまでそれほど移動させる必要がないからである。
【００４０】
原稿サイズがＡ４よりも大きくＢ４以下であるときは、原稿ガイド２３をＡ３〜Ｂ４までは高速Ｓ２で、Ｂ４以降は低速Ｓ１〔図９の（ｂ）に示す第２の速度パターン〕で移動させる。つまり、原稿サイズが例えばＢ４であるときは、原稿ガイド２３が原稿に近づくまでは原稿ガイド２３を高速で移動させ、近づいた後は低速で移動させることにより、原稿ガイド２３の移動を短時間で行うことができる。
【００４１】
同様に、原稿サイズがＢ５よりも大きくＡ４以下であるときは、原稿ガイド２３をＡ３〜Ａ４までは高速Ｓ２で、Ａ４以降は低速Ｓ１〔図９の（ｃ）に示す第３の速度パターン〕で移動させる。また、図９には示されていないが、原稿サイズがＢ５以下であるときは、原稿ガイド２３をＡ３〜Ｂ５までは高速Ｓ２で、Ｂ５以降は低速Ｓ１（第４の速度パターン）で移動させる。
【００４２】
このような第１〜第４の速度パターンを予め規定の原稿サイズに対応して設定しておく。そして、図７のステップＳＴ１１において、原稿供給トレイ２１に原稿がセットされたか否か、すなわちセンサＳ１及び／又はセンサＳ２が原稿を検出したかどうかを判定し、この判定がＮＯの場合は、原稿がセットされるまで待機する。原稿がセットされると、ステップＳＴ１２において、セットされた原稿のサイズを原稿サイズ検出手段（センサＳ１，ＳＡ４，ＳＢ４，ＳＡ３）で検出する。原稿サイズは、それらセンサＳ１，ＳＡ４，ＳＢ４，ＳＡ３の検出結果に基づいて決定される。　まずステップＳＴ１２において、原稿の幅がＡ３幅よりも小さくＢ４幅よりも大きいか判定する。この判定がＹＥＳのとき、すなわち全てのセンサＳ１，ＳＡ４，ＳＢ４，ＳＡ３がＯＮのときは、ステップＳＴ１３において、前記したように第１の速度パターン〔図９の（ａ）参照〕で原稿ガイド２３を移動させる。続いて、ステップＳＴ１４において、原稿ガイド２３が原稿に接触したか判定する。この判定は、前記したように、例えば原稿ガイド２３の接触センサＳＲが原稿の接触による接圧を検知したか否かにより行う。原稿ガイド２３が原稿に接触しないときは、接触するまで原稿ガイド２３を移動させ、接触すると、ステップＳＴ２３に移行する。
【００４３】
ステップＳＴ１２において、判定がＮＯのときは、次にステップＳＴ１５において、原稿の幅がＢ４幅よりも小さくＡ４幅よりも大きいか判定する。この判定がＹＥＳのとき、すなわちセンサＳ１，ＳＡ４，ＳＢ４がＯＮのときは、ステップＳＴ１６において、第２の速度パターン〔図９の（ｂ）参照〕で原稿ガイド２３を移動させる。続いて、ステップＳＴ１７において、原稿ガイド２３が原稿に接触したか判定する。原稿ガイド２３が原稿に接触しないときは、接触するまで原稿ガイド２３を移動させ、接触すると、ステップＳＴ２３に移行する。
【００４４】
ステップＳＴ１５において、判定がＮＯのときは、次にステップＳＴ１８において、原稿の幅がＡ４幅よりも小さくＢ５幅よりも大きいか判定する。この判定がＹＥＳのとき、すなわちセンサＳ１，ＳＡ４がＯＮのときは、図８のステップＳＴ１９において、第３の速度パターン〔図９の（ｃ）参照〕で原稿ガイド２３を移動させる。続いて、ステップＳＴ２０において、原稿ガイド２３が原稿に接触したか判定する。原稿ガイド２３が原稿に接触しないときは、接触するまで原稿ガイド２３を移動させ、接触すると、ステップＳＴ２３に移行する。
【００４５】
ステップＳＴ１８において、判定がＮＯのときは、すなわちセンサＳ１のみがＯＮのときは、ステップＳＴ２１において、第４の速度パターンで原稿ガイド２３を移動させる。続いて、ステップＳＴ２２において、原稿ガイド２３が原稿に接触したか判定する。原稿ガイド２３が原稿に接触しないときは、接触するまで原稿ガイド２３を移動させ、接触すると、ステップＳＴ２３に移行する。
【００４６】
上記のように各種原稿サイズに応じて原稿ガイド２３を第１〜第４の速度パターンで移動させ、原稿ガイド２３が原稿に接触すると、図６のフロー図と同様に、ステップＳＴ２３において、原稿ガイド２３を停止させ、ステップＳＴ２４において、原稿を１枚ずつ自動で給紙し、読み取り部１０で原稿の画像を読み取り、その画像データを取り込む。そして、ステップＳＴ２５において、全ての原稿の自動給紙及び画像読み取りが終了したか判定し、原稿が残っているときは、ステップＳＴ２４に戻り、原稿の画像データの取り込みを続ける。全ての原稿の画像読み取りが終了すると、ステップＳＴ２６において、モータ２７を駆動して、原稿ガイド２３を最大幅の位置まで移動させ、再び待機状態とし、当該処理を終了する。
【００４７】
なお、上記実施形態では、一対の原稿ガイド２３が連動して移動する構成としたが、それに代わって、一対の原稿ガイド２３のうち一方は固定し、他方の原稿ガイドのみがモータにより移動する構成にしてもよい。
【００４８】
また、以上の説明では、モータ２７として、回転量が指令パルス数に対応しているステッピングモータを使用し、常に原稿ガイド２３が最大幅の状態から移動を開始するものとした。従って、モータ２７の絶対的な回転位置を検出する検出器（エンコーダ）を設けることなく、原稿ガイド２３の位置に応じて所定速度となるような速度パターンにて回転するようにモータ２７を制御できる。但し、モータ２７の絶対的な回転位置を検出する検出器を設け、その検出信号に基づいてモータ２７の回転速度を制御することにより、原稿ガイド２３が待機状態で最大幅以外の途中位置にあった場合、すなわち原稿ガイド２３が最大幅以外の途中位置から移動開始する場合でも、位置に応じて所定の速度となるような速度パターンになるように制御できる。
【００４９】
【発明の効果】
以上説明したように、この発明の請求項１記載の自動給紙型の画像読取装置によれば、ユーザが原稿給紙部に原稿をセットすれば、原稿ガイドが原稿に接触する位置まで自動的に移動するので、原稿ガイドを原稿に接触するまで手動で移動させる必要がなく、原稿ガイドの位置合せの手間を省くことができる。
【００５０】
また、請求項２の構成とすれば、既存の原稿サイズを利用して効率的な速度パターンで原稿ガイドを移動させることができる。
【００５１】
更に、請求項３の構成とすれば、原稿ガイドの移動を短時間で行える。
【図面の簡単な説明】
【図１】実施形態に係る自動給紙型の画像読取装置を組み込んだファクシミリ装置の斜視図である。
【図２】同ファクシミリ装置におけるブックプラテンカバーの拡大斜視図である。
【図３】図２に示すブックプラテンカバーの一部省略拡大平面図である。
【図４】同ファクシミリ装置における読み取り部の要部構成を示すためにファクシミリ装置の本体の正面から見た模式的縦断面図である。
【図５】同ファクシミリ装置の機能構成例を示すブロック図である。
【図６】同ファクシミリ装置における原稿ガイドの移動動作を示すフロー図である。
【図７】同ファクシミリ装置における原稿ガイドの移動動作のより詳細な動作例を示すフロー図である。
【図８】図７のフロー図に続くフロー図である。
【図９】同ファクシミリ装置において、各種原稿サイズに応じて移動させる原稿ガイドの第１〜第３の移動速度パターンを示す図である。
【符号の説明】
１　　　　　　　　ファクシミリ装置
１０　　　　　　　読み取り部
２０　　　　　　　ブックプラテンカバー
２１　　　　　　　原稿供給トレイ
２２　　　　　　　原稿排出トレイ
２３　　　　　　　原稿ガイド
２７　　　　　　　モータ（駆動手段）
５１　　　　　　　ＣＰＵ（制御部）
ＳＲ　　　　　　　接触センサ（検出手段）
Ｓ１，ＳＡ４　　　センサ（原稿サイズ検出手段）
ＳＢ４，ＳＡ３　　センサ（原稿サイズ検出手段）
Ｐ　　　　　　　　原稿
【図１】
2004026474.tif 000003
【図２】
2004026474.tif 000004
【図３】
2004026474.tif 000005
【図４】
2004026474.tif 000006
【図５】
2004026474.tif 000007
【図６】
2004026474.tif 000008
【図７】
2004026474.tif 000009
【図８】
2004026474.tif 000010
【図９】
2004026474.tif 000011